(57)【特許請求の範囲】
【請求項１】
被写体を撮影装置によって撮影して得られた画像を表示する媒体を観賞物として所定の観賞推奨位置から観賞者が観賞するために前記観賞物を展示する展示方法であって、
前記観賞物と、前記観賞物に対して前記観賞推奨位置側に配置され、前記観賞物の少なくとも一部を遮蔽する観賞演出材と、を配する工程と、
配する前記観賞演出材と前記観賞物との間の距離を設定する工程と、を有し、
前記設定する工程においては、
前記観賞推奨位置と前記観賞物との間の距離をＺ１、前記撮影時の前記被写体と前記撮影装置との間の距離をＺ２、前記撮影時の前記被写体のサイズをＹ２とするときに、
Ｚ１＝（Ｚ２×Ｙ１）／Ｙ２
を満たすＹ１と、前記観賞物中の前記被写体の画像のサイズＹ３と、の比較に基づいて前記観賞演出材と前記観賞物との間の距離を設定し、
Ｙ３＞Ｙ１である場合には、前記観賞演出材と前記観賞物との間の距離が、前記観賞演出材と前記観賞推奨位置における前記観賞者との間の距離よりも長く、前記観賞推奨位置から前記観賞物に向かう方向における前記観賞演出材の前記観賞物側の端から前記観賞演出材の重心までの範囲のいずれかの位置で、前記観賞物からの距離が
（Ｚ１／２）・（１＋Ｙ１／Ｙ３）
となるように前記観賞演出材と前記観賞物との間の距離を設定することを特徴とする展示方法。
【請求項２】
前記観賞物は、前記画像を表示する面が水平方向に対して交差するように設けられることを特徴とする請求項１に記載の展示方法。
【請求項３】
前記距離Ｚ１は２メートル以上であることを特徴とする請求項２に記載の展示方法。
【請求項４】
前記観賞推奨位置は前記観賞物の上方にあることを特徴とする請求項１に記載の展示方法。
【請求項５】
前記観賞演出材は、前記観賞物の上方に位置し、かつ上部に前記観賞推奨位置が存在する第１観賞演出材と、前記第１観賞演出材よりも高い位置にあり、前記観賞物の上方に位置し、かつ上部が前記観賞推奨位置ではない第２観賞演出材と、を含み、
前記設定する工程では、前記観賞推奨位置から前記観賞物に向かう方向における前記第２観賞演出材の前記観賞物側の端と前記第２観賞演出材の重心との間までのいずれかの位置と前記観賞物との距離が
（Ｚ１／２）・（１+Ｙ１／Ｙ３）
となることを特徴とする請求項４に記載の展示方法。
【請求項６】
被写体を撮影装置によって撮影して得られた画像を表示する媒体を観賞物として所定の観賞推奨位置から観賞者が観賞するために前記観賞物を展示する展示方法であって、
前記観賞物と、前記観賞物に対して前記観賞推奨位置側に配置され、前記観賞物の少なくとも一部を遮蔽する観賞演出材と、を配する工程と、
配する前記観賞演出材と前記観賞物との間の距離を設定する工程と、を有し、
前記設定する工程においては、
前記観賞推奨位置と前記観賞物との距離をＺ１、前記撮影時の前記被写体と前記撮影装置の距離をＺ２、前記撮影時の前記被写体のサイズをＹ２とするときに、
Ｚ１＝（Ｚ２×Ｙ１）／Ｙ２
を満たすＹ１と、前記観賞物中の前記被写体の画像のサイズＹ３と、の比較に基づいて前記観賞演出材と前記観賞物との間の距離を設定し、
Ｙ３≦Ｙ１である場合には、前記観賞演出材と前記観賞推奨位置における前記観賞者の位置との間の距離が、前記観賞演出材と前記観賞物との間の距離よりも長く、前記観賞推奨位置から前記観賞物に向かう方向における前記観賞演出材の前記観賞推奨位置側の端から前記観賞演出材の重心までの範囲のいずれかの位置で、前記観賞物からの距離が
（Ｚ１／２）・（２−Ｙ１／Ｙ３）
となるように前記観賞演出材と前記観賞物との間の距離を設定することを特徴とする展示方法。
【請求項７】
前記観賞物は、前記画像を表示する面が水平方向に対して交差するように設けられることを特徴とする請求項６に記載の展示方法。
【請求項８】
前記距離Ｚ１は２メートル以上であることを特徴とする請求項７に記載の展示方法。
【請求項９】
前記Ｙ２は前記撮影時の前記被写体の高さ方向のサイズであり、前記Ｙ３は前記観賞物中の前記被写体の画像の縦方向のサイズであることを特徴とする請求項２、３、７、または８のいずれかに記載の展示方法。
【請求項１０】
前記観賞推奨位置は前記観賞物の上方にあることを特徴とする請求項６に記載の展示方法。
【請求項１１】
前記観賞演出材は、前記観賞物の上方に位置し、かつ上部に前記観賞推奨位置が存在する第１観賞演出材と、前記第１観賞演出材よりも低い位置にあり、前記観賞物の上方に位置し、かつ上部が前記観賞推奨位置ではない第２観賞演出材と、を含み、
前記設定する工程では、前記観賞推奨位置から前記観賞物に向かう方向における前記第２観賞演出材の前記観賞推奨位置側の端と前記第２観賞演出材の重心との間までのいずれかの位置と前記観賞物との距離が
（Ｚ１／２）・（２−Ｙ１／Ｙ３）
となることを特徴とする請求項１０に記載の展示方法。
【請求項１２】
前記観賞物は、前記媒体にインクジェットプリンタによって前記画像を記録することで得られたものであることを特徴とする請求項１ないし１１のいずれか１項に記載の展示方法。
【請求項１３】
被写体を撮影装置によって撮影して得られた画像を表示する媒体を観賞物として観賞する観賞方法であって、
前記観賞物と、前記観賞物と観賞者が観賞する位置との間に、前記観賞者が前記観賞物を観賞した場合に前記観賞物の少なくとも一部を遮蔽する観賞演出材と、が配置される工程と、
配置される前記観賞物と前記観賞演出材との距離が設定される工程と、を有し、
前記設定される工程においては、
前記観賞者と前記観賞物との間の距離をＺ１、前記撮影時の前記被写体と前記撮影装置との間の距離をＺ２、前記撮影時の前記被写体のサイズをＹ２、前記観賞物中の前記被写体の画像のサイズをＹ３とするときに、
Ｚ１＝（Ｚ２×Ｙ１）／Ｙ２
を満たすＹ１とＹ３との比較に基づいて前記観賞物と前記観賞演出材との距離が設定され、
Ｙ３＞Ｙ１である場合には、前記観賞演出材と前記観賞物との間の距離が、前記観賞演出材と前記観賞者との間の距離よりも長く、前記観賞者から前記観賞物に向かう方向における前記観賞演出材の前記観賞物側の端から前記観賞演出材の重心までのいずれかの位置と前記観賞物との間の距離Ｓが、
Ｓ＝（Ｚ１／２）・（１＋Ｙ１／Ｙ３）
を満たすことを特徴とする観賞方法。
【請求項１４】
被写体を撮影装置によって撮影して得られた画像を表示する媒体を観賞物として観賞する観賞方法であって、
前記観賞物と、前記観賞物と観賞者が観賞する位置との間に、前記観賞者が前記観賞物を観賞した場合に前記観賞物の少なくとも一部を遮蔽する観賞演出材と、が配置される工程と、
配置される前記観賞物と前記観賞演出材との距離が設定される工程と、を有し、
前記設定される工程においては、
前記観賞者と前記観賞物との間の距離をＺ１、前記撮影時の前記被写体と前記撮影装置との間の距離をＺ２、前記撮影時の前記被写体のサイズをＹ２、前記観賞物中の前記被写体の画像のサイズをＹ３とするときに、
Ｚ１＝（Ｚ２×Ｙ１）／Ｙ２
を満たすＹ１とＹ３との比較に基づいて前記観賞物と前記観賞演出材との距離が設定され、
Ｙ３≦Ｙ１である場合には、前記観賞演出材と前記観賞者との間の距離が、前記観賞演出材と前記観賞物との間の距離よりも長く、前記観賞者から前記観賞物に向かう方向における前記観賞演出材の前記観賞者側の端から前記観賞演出材の重心までのいずれかの位置と前記観賞物との間の距離Ｓが、
Ｓ＝（Ｚ１／２）・（２−Ｙ１／Ｙ３）
を満たすことを特徴とする観賞方法。
【請求項１５】
前記観賞物は、前記画像を表示する面が水平方向に対して交差するように設けられることを特徴とする請求項１３または１４に記載の観賞方法。
【請求項１６】
前記距離Ｚ１は２メートル以上であることを特徴とする請求項１５に記載の観賞方法。
【請求項１７】
前記Ｙ２は前記撮影時の前記被写体の高さ方向のサイズであり、前記Ｙ３は前記観賞物中の前記被写体の画像の縦方向のサイズであることを特徴とする請求項１５または１６に記載の観賞方法。
【請求項１８】
前記観賞者が前記観賞物の上方から前記観賞物を見下ろして観賞することを特徴とする請求項１３または１４に記載の観賞方法。
【請求項１９】
前記観賞物は、前記媒体にインクジェットプリンタによって前記画像を記録することで得られたものであることを特徴とする請求項１３ないし１８のいずれか１項に記載の観賞方法。
【発明の詳細な説明】
【技術分野】
【０００１】
本発明は、展示方法および観賞方法に関し、詳しくは、プリント物や絵画等の観賞物を展示するための展示方法および観賞方法に関する。
【背景技術】
【０００２】
従来、展示セットの一例として、特許文献１に記載されるような、疑似窓が知られている。これは、会議室等の静粛性の確保や秘密漏洩に対する防御のために窓を設置出来ない環境において設置されるものであり、表示部に窓の外に存在し得る風景の画像を表示し、その前面に疑似的な窓枠を設置したものである。これにより、室内の人間にあたかも実際の野外の風景を眺めているかのような疑似体験をさせることを可能としている。
【先行技術文献】
【特許文献】
【０００３】
【特許文献１】特開２００８−２９７８０３号公報
【発明の概要】
【発明が解決しようとする課題】
【０００４】
しかしながら、特許文献１に記載の疑似窓は、表示される窓外の風景を見るときの「臨場感」に乏しい場合がある。すなわち、疑似窓における表示部や窓枠との位置関係によって、上記臨場感を生じさせる、窓枠による表示部画像に対する「遮蔽」の効果が低減し、結果として奥行きについての違和感を生じ臨場感が低下する。
【０００５】
本発明は、上記の課題を解決するためになされたものであり、画像を観賞する際の「遮蔽」の効果を有効に発揮できるようにし、特に、奥行きについての違和感を生じないようにすることを可能とする展示方法および観賞方法を提供することを目的とする。
【課題を解決するための手段】
【０００６】
本発明の展示方法は、被写体を撮影装置によって撮影して得られた画像を表示する媒体を観賞物として所定の観賞推奨位置から観賞者が観賞するために前記観賞物を展示する展示方法であって、前記観賞物と、前記観賞物に対して前記観賞推奨位置側に配置され、前記観賞物の少なくとも一部を遮蔽する観賞演出材と、を配する工程と、配する前記観賞演出材と前記観賞物との間の距離を設定する工程と、を有し、前記設定する工程においては、前記観賞推奨位置と前記観賞物との間の距離をＺ１、前記撮影時の前記被写体と前記撮影装置との間の距離をＺ２、前記撮影時の前記被写体のサイズをＹ２とするときに、
Ｚ１＝（Ｚ２×Ｙ１）／Ｙ２
を満たすＹ１と、前記観賞物中の前記被写体の画像のサイズＹ３と、の比較に基づいて前記観賞演出材と前記観賞物との間の距離を設定し、Ｙ３＞Ｙ１である場合には、前記観賞演出材と前記観賞物との間の距離が、前記観賞演出材と前記観賞推奨位置における前記観賞者との間の距離よりも長く、前記観賞推奨位置から前記観賞物に向かう方向における前記観賞演出材の前記観賞物側の端から前記観賞演出材の重心までの範囲のいずれかの位置で、前記観賞物からの距離が
（Ｚ１／２）・（１＋Ｙ１／Ｙ３）
となるように前記観賞演出材と観賞物との間の距離を設定することを特徴とする。
【発明の効果】
【０００７】
以上の構成によれば、展示において、画像を観賞する際の「遮蔽」の効果を有効に発揮できるようにし、特に、奥行きについての違和感を生じないようにすることが可能となる。
【図面の簡単な説明】
【０００８】
【図１】（ａ）〜（ｄ）は、本発明の一実施形態に係る展示セットを説明する図である。
【図２】（ａ）〜（ｃ）は、観賞演出材の他の形態を示す斜視図である。
【図３】一実施形態に係る展示セットの、特に、観賞物と観賞演出材との関係、および観賞物を観賞する観賞者と観賞物における観賞対象画像との関係を説明する図である。
【図４】（ａ）〜（ｃ）は、本実施形態に係る運動視差を説明する図である。
【図５】（ａ）〜（ｃ）は、本実施形態に係る距離Ｓの変更による、基本的な観賞対象画像のサイズ感の変更を説明する図である。
【図６】（ａ）および（ｂ）は、観賞物が撮像装置によって撮像された画像である場合の、観賞者が観賞物を観賞する際の観賞距離をと撮像距離などとの関係を説明する図である。
【図７】（ａ）〜（ｆ）は、本発明の第１の実施形態に係る、観賞演出材の距離の制御を説明する図である。
【図８】（ａ）〜（ｄ）は、本発明の第２実施形態に係る展示セットを説明する図である。
【図９】（ａ）〜（ｄ）は、第２実施形態に係る、観賞演出材の配置の仕方を説明する図である。
【発明を実施するための形態】
【０００９】
以下、図面を参照して本発明の実施形態を詳細に説明する。なお、以下の実施形態に記載されている構成要素はあくまで例示であり、本発明の範囲をそれらのみに限定する趣旨のものではないことはもちろんである。
【００１０】
（第１実施形態）
図１（ａ）〜（ｄ）は、本発明の一実施形態に係る展示セットを説明する図である。これらの図において、１０１は観賞物を示しており、この観賞物は、インクジェットプリンタで画像が記録されあるいは絵が描かれた、シートやパネルとすることができる。この観賞物１０１は、壁などの展示面１０３に固定される。ここで、その固定については、接着剤や治具等で固定してもよいが特にそういうことをせずに、床上の所望位置に鑑賞演出材を置き、その位置が維持できるように展示してあればよい。展示とともに鑑賞者が鑑賞演出材を移動しないように注意喚起を示すようにしてもよし、鑑賞者が移動すべきものと思い込んで、自分から鑑賞演出材を移動するようなことがなければ、平置きしておいてよい。なお、観賞物は、展示面に直接記録されまたは描かれた画像などであってもよい。１０２は観賞演出材を示し、観賞物に対して観賞位置側に配され、木製ボードの表面に均一な色の紙を貼って形成したものとすることができる。なお、観賞演出材はこの形態に限られるものではなく、例えば、木製ボードに対して塗装などの処理を施したものや、カラーのプラスチック板、金属の板などを用いることもできる。図１（ａ）に示すように、観賞演出材１０２は、観賞物１０１から距離Ｓの位置に配置される。
【００１１】
図１（ｂ）は、本実施形態の展示セットを正面から見た図であり、展示面は省略されている。また、図１（ｃ）は観賞物を、図１（ｄ）は観賞演出材１０２をそれぞれ正面から見た図である。図１（ｃ）に示すように、観賞物１０１には、観賞対象画像１０１ａ、１０１ｂが存在する。これらの観賞対象画像１０１ａ、１０１ｂは、観賞者が観賞物を見るときに、特に、注目して見る可能性のある対象となるものである。また、図１（ｄ）に示す例では、観賞演出材１０２は、所定の窓枠などの枠形状をしたものであるが、この形態限られない。観賞演出材は、詳細が後述されるように、観賞物の一部を遮蔽して観賞者から観賞物の一部が見えないようにする作用をするものであり、観賞者の移動による「運動視差」の効果や「奥行き感」を生じさせるものである。図１（ｄ）に示す枠形状の観賞演出材１０２は、縦演出材１０２ａ、１０２ｂ、１０２ｅ、１０２ｆと、横演出材１０２ｃ、１０２ｄを有して構成される。そして、４つの縦演出材の間に、観賞物を観賞するための２つの空間が構成される。さらに、本実施例形態における観賞演出材は、観賞物と観賞者の間に固定する。詳細な理由は後述するが、観賞演出材を用いることで観賞物に立体感、奥行き感や没入感といった「臨場感」を演出することができる。本発明ではその効果を十分に得るために、観賞演出材と観賞物、観賞者の適切な位置関係を制御するので、適切な位置に観賞演出材が固定されている方が効果を得やすい。例えば、観賞時に、観賞演出材が形状や位置を変化させると奥行き感等が低下してしまう状態が発生し、展示セットの臨場感損なわれる懸念がある。また、前述の理由から観賞演出材は固定されていることが望ましいため、実環境では本来あまり静止していないものよりは、実環境で静止しているものの方がよい。例えば動物を模った観賞演出材はそれが静止し続けることでむしろ違和感が生ずることも考えられるため、実施形態の観賞演出材としては実環境で静止しているものを用いることが望ましい。  図２（ａ）〜（ｃ）は、観賞演出材の他の形態を示す斜視図であり、図１（ａ）と同様の図である。なお、これらの図では、展示面１０３の図示は省略されている。
【００１２】
図２（ａ）に示す観賞演出材２０１は、３つの縦演出材２０１ａ、２０１ｂ、２０１ｃを有するものであり、両端に円柱状の縦演出材２０１ａ、２０１ｂを配置し、中央に、両端よりは細い円柱状の縦演出材２０１ｃを配置したものである。さらに、図２（ｂ）に示す観賞演出材は、鑑賞物１０１の中央と左右端部それぞれとの間に固定された２つの角柱状の縦演出材２０５、２０６からなる。これらは鑑賞物と設定された間隔を置いて離れている。２つの角柱状の縦演出材２０５、２０６の最も鑑賞者側の表件から鑑賞物１０１０までの距離はＳである。また、図２（c）に示す観賞演出材は、２つの樹木状の縦演出材２０２、２０３からなるものである。さらに、図２（d）に示す観賞演出材２０４は、観賞演出材の水平方向両側の奥行き部分にも演出材が存在する、箱状（上下方向の上および下側には演出材は存在しない）のものである。図２において観賞物は平らな展示面上に存在しているが、観賞物の形状はこれに限らず、観賞者を取り囲むような円柱内部やドーム形状面に存在してもよい。そのような場合においても、観賞演出材を観賞者と観賞物間に固定して配置することが本実施例の特徴である。
【００１３】
以上のように、本発明の実施形態に係る観賞演出材は、少なくとも縦演出材が存在するものであり、この縦演出材が、観賞者に対して観賞物の一部を遮蔽する。
【００１４】
図３は、本実施形態に係る展示セットの、特に、観賞物１０１と、観賞演出材１０２との関係、および観賞物を観賞する観賞者３０１と観賞物における観賞対象画像１０１ａとの関係を説明する図である。
【００１５】
観賞者３０１（観賞物からの距離ｚ）が観賞物１０１を見るとき、先ず、人の眼の焦点調整機能が考慮される。すなわち、人の眼の焦点調整機能によって奥行きを認識できるのは、個人差があるが、一般的に２メートルであり、この距離より短い距離で観賞物を観賞すると、焦点調整機能によって観賞物１０１が平面に存在することを認識してしまい奥行き感が得られなくなる。この点から、観賞者が観賞する範囲として推奨される範囲を観賞推奨範囲３０２とするとき、観賞物１０１から最も近い距離３０４の条件として、上記２メートル以上とする。一方、観賞物と観賞者が最も遠くなる距離３０５の条件を、観賞者が観賞物１０１の観賞対象画像１０１ａの中央を注視したときに、観賞物１０１の水平方向の端１０４（展示面１０３との境界１０５）が、観賞者３０１の同じ水平方向の視野の範囲に入る距離以下とする。すなわち、人間の視野は、個人差はあるが、一般的に両目で同時に見える範囲は１２０度程度であり、上記最も遠い距離より長い距離では、観賞者の視野には観賞物の全体が入り、観賞者は観賞物がプリント物など平面的なものであると感じ、臨場感が損なわれてしまう。この場合、観賞者が上記最も遠い距離３０５にいる場合、境界が視界に入り臨場感が損なわれるおそれがある。そこで、本実施形態は、観賞演出材１０２の縦演出材（１０２ａ、１０２ｂなど）によって、上記境界１０５が観賞者の視界に入らないようにする。なお、この「境界」は、展示物１０１が、写真のように画像の周囲に余白があるものである場合は、その余白と画像との境界を含む趣旨である。
【００１６】
本発明の実施形態に係る、観賞演出材１０２は、観賞物１０１を観賞するときの立体感や没入感といった「臨場感」の効果を生じさせるものであり、その作用として、（１）運動視差の作用、（２）遮蔽と相対的大きさと密度、がある。
【００１７】
「運動視差」は、観賞者の視点または観賞対象画像（観賞物）が移動することによって生じる視差である。観賞演出材が、観賞者と観賞物との間に存在すると、観賞者が観賞物（の観賞対象画像）を注視しながら移動したときに、観賞演出材は視野内での変化量が大きく（速度が速く）、観賞物は変化量が小さい（速度が遅い）。この変化量ないし変化の速度の差が運動視差の作用である。
【００１８】
図４（ａ）〜（ｆ）は、本実施形態に係る運動視差を説明する図である。図４（ａ）に示す状態から、観賞者３０１が図４（ｂ）に示すように、観賞物演出材の縦演出材１０２ａ（縦演出材を代表的に表したもので、「１０２ａ」に限られない）を注視（５０５）しながら、Ｘ軸の負の方向に移動すると、図４（ｃ）に示すように、縦演出材１０２ａによる観賞対象画像１０１ａの遮蔽位置が変化する。さらに、図４（ｄ）に示すように、縦演出材１０２ａを注視（５０７）しながら、Ｘ軸の正の方向に移動した場合、図４（ｅ）、（ｆ）に示すように、鑑観賞物演出材の縦演出材１０２ａによる観賞物１０１の観賞対象画像１０１ａの遮蔽位置が変化する。このように、観賞者の移動に応じて、観賞者の視野内での観賞演出材の変化量と、観賞物上の視点の変化量に差が生じ、この違いにより観賞者は観賞する観照対象画像に奥行きを知覚する。このように、観賞演出材を用いることにより、観賞物に対する立体感や没入感といった「臨場感」の効果を生じさせることが可能となる。
【００１９】
「遮蔽」は、複数の対象物のうち、ある対象物が他の対象物の一部を隠している場合に、上記のある対象物が他の対象物より前に存在すると知覚する、人間の立体知覚の一種である。本実施形態では、観賞演出材１０２を観賞物１０１と観賞者３０１の間に置くことにより、観賞者は、それと観賞物との奥行きを知覚するとともに、観賞物と観賞演出材との距離からさらに観賞物の複数の観賞対象画像の空間的位相配置で経験的に奥行きを知覚する。
【００２０】
なお、観賞演出材を用いて観賞物を「遮蔽」する位置は、例えば、図２（ｃ）に示す「道路」１０１ｅのような「遠近感」を構成する観賞対象画像を遮蔽しない位置とする。上述した「運動視差」や「遮蔽」と同様、観賞物における「線遠近」要素は、これを観賞者が観賞可能なように観賞演出材を配置することが望ましい。
【００２１】
図５（ａ）〜（ｃ）は、本実施形態に係る距離Ｓの変更による、基本的な観賞対象画像のサイズ感の変更を説明する図である。
【００２２】
図５（ａ）は、観賞対象画像１０１ａのサイズを実物相当サイズと知覚する状態（以下、状態１）を示し、このとき、観賞者３０１の観賞距離（観賞物から観賞者までの距離）ｚに対して、観賞物（１０１ａ）と観賞演出材（１０２ａ）との距離をＳ１の関係がある。この状態に対し、観賞距離ｚを変えずに、図５（ｂ）に示すように、観賞物（１０１ａ）と観賞演出材（１０２ａ）との距離を、状態１より短いかくしてＳ２（＜Ｓ１）とする。この結果、観賞者３０１が距離ｌだけ移動したときの、上述した運動視差の作用によって、観賞対象画像１０１ａの変化量ｄ２は、状態１で同じ距離ｌだけ移動したときの変化量ｄ１より小さくなる。この結果、観賞者は、観賞対象画像１０１ａを実サイズ相当より大きく知覚する。一方、観賞距離ｚを変えずに、図５（ｃ）に示すように、観賞物（１０１ａ）と観賞演出材（１０２ａ）との距離を、状態１より長くしてＳ３（＞Ｓ１）とする。この結果、観賞者３０１が距離ｌだけ移動したときの、上述した運動視差の作用によって、観賞対象画像１０１ａ変化量ｄ３は、状態１で同じ距離ｌだけ移動したときの変化量ｄ１より大きくなる。この結果、観賞者は、観賞対象画像１０１ａを実サイズ相当より小さく知覚する。
【００２３】
また、観賞物と観賞演出材との距離Ｓは、上述した観賞物１０１の水平方向のサイズに応じて定めた範囲内で、観賞物の画像を撮像したときの、カメラなどの撮影装置と観賞対象画像となる被写体との距離に応じて設定することができる。すなわち、観賞者の観賞距離ｚが一定の場合、撮影時の撮影距離が長い画像の観賞物ほど、観賞演出材と観賞物の距離Ｓを長く設定する。これにより、図５にて上述したように、撮影距離が長い画像ほど、運動視差による観賞対象画像の変化量を大きくして観賞対象画像を小さく知覚するようにすることができる。
【００２４】
さらに、観賞物のサイズによっても、観賞演出材と観賞物の距離を設定することができる。例えば、展示セットの設置環境によって観賞物のサイズが制限される場合、観賞対象画像を含む全体を表示するように観賞対象画像のサイズを、例えば等倍より小さく調整することがある。観賞演出材がない場合に、観賞者が、観賞推奨位置で観賞物を観賞すると、観賞距離と観賞対象画像のサイズから知覚する奥行きに違和感が生じる臨場感が低下する。このようなときには、図５にて上述したように、観賞演出材の観賞物からの距離を調節することにより観賞対象画像を実サイズ相当より大きく知覚させることができ、推奨観賞距離と観賞物、観賞演出材から知覚する奥行きの実際との差が小さくなり臨場感の低下を防止できる。
【００２５】
詳細には、観賞演出材の観賞者、観賞物との距離の関係について説明する。観賞物と観賞演出材の距離は、観賞者と観賞演出材の距離（観賞推奨距離）と観賞物の観賞対象画像のサイズにより決定される数値である。図６（ａ）および（ｂ）に示すような、観賞物が撮像装置によって撮像された画像である場合、観賞物の観賞対象画像１０１ａの理想サイズＹ１は、観賞推奨範囲内の観賞推奨距離Ｚ１から観賞物を観賞する場合に、観賞対象画像１０１ａの撮影時の撮影装置と被写体４０２との距離Ｚ２、被写体４０２の実物を相当の大きさＹ２とすると、以下の式（１）の比例関係があることが望ましい。なお、撮像装置であるデジタルカメラ等に様々な焦点距離のレンズを付けて撮影するので、距離Ｚ２は、「撮影画角」、「センササイズ」、「焦点距離」から算出する。  
Ｚ１≧（Ｚ２×Ｙ１）／Ｙ２    式（１）
さらに、式（１）において、等号の関係が成り立つ場合は、観賞演出材を観賞物からＺ１／２の距離に設定すると、観賞対象画像１０１ａを実サイズ相当に知覚でき、さらに観賞演出材の効果により奥行きを感じ、臨場感が得られる。
【００２６】
しかしながら、観賞物のサイズや観賞推奨距離が展示環境などによる制限を受け、式（１）を満たすことが困難になる場合がある。本発明の第１の実施形態は、図５にて上述したように、観賞物上の観賞対象画像を実サイズ相当より大きく、あるいは小さく知覚するように観賞演出材の距離を制御することによって、式（１）が満たされないことに起因した観賞距離と知覚するサイズの違和感を低減する。
【００２７】
図７（ａ）〜（ｄ）は、本発明の第１の実施形態に係る、観賞演出材の距離の制御を説明する図である。図７に示す、観賞演出材の観賞物からの距離Ｓ６は、以下の２つの式に従って設定する。ここで、式（２）、（３）において、Ｙ３は観賞物の観賞対象画像１０１ａのサイズ、Ｙ１は、式（１）で定義される観賞対象画像１０１ａのサイズである。これらの式（２）、（３）は、観賞物の観賞対象画像のサイズが、観賞において観賞推奨位置の観賞物からの距離との比例関係（式（１））において、観賞対象画像の元となる被写体画像の実サイズに相当しない場合に、対応する距離Ｓ６を示すものである。すなわち、観賞対象画像のサイズＹ３が理想のサイズＹ１より大きい場合は、式（２）によって距離Ｓ６をより長い距離とする。これにより、運動視差による観賞対象画像の変化量を大きくし、観賞対象画像を小さく知覚させる。観賞対象画像のサイズＹ３が理想のサイズＹ１以下の場合は、式（３）によって距離Ｓ６をより短い距離とし、観賞対象画像を大きく知覚させる。
【００２８】
【数１】
0006771869.tif 000002
【００２９】
【数２】
0006771869.tif 000003
【００３０】
なお、人間の視覚特性から距離Ｓ６は一意に定まらない。本実施形態では、離れた観賞演出材と観賞物を周辺視（視野角１０度の範囲）で観賞しているとし、距離Ｓ６は、観賞推奨範囲の距離ｚについて、式（４）で算出される幅ｄＳを持つものとする。  
ｄｓ＝ｚ・ｔａｎθ（θ＝５°）    式（４）
ここで、Ｙ３＞Ｙ１を満たす場合、式（２）によって、観賞物から観賞演出材までの距離Ｓ６が定まる。しかし、観賞演出材１０２ａは，図７においてｚ方向の幅を持つ。このため、この幅に応じて、例えば、観賞者が観賞対象画像を見るときの、遮蔽する大きさが異なることになり、これによって、特に、奥行きの知覚に違いを生じる。これに対し、本発明の実施形態は、上記式（２）で定まる距離Ｓ６について、以下のように観賞演出材の距離を定める。
【００３１】
図７（ａ）に示すように、観賞演出材１０２ａと観賞者３０１との距離が、観賞演出材１０２ａと観賞物１０１との距離より短い場合は、観賞演出材１０２ａの観賞物１０１に近い側の面７０２を基準に観賞演出材１０２ａと観賞物１０１の距離Ｓ６を設定する。観賞演出材１０２ａと観賞物１０１の距離をこのように設定すると、観賞者３０１は、観賞演出材１０２ａを視界７１０内に捉えながら観賞物１０１を見て、視野内の画像は、図７（ｃ）に示すものとなる。図７（ｃ）において、領域７１２は、視野ｓｄ１内に観賞演出材１０２ａが占める領域である。このように、観賞演出材を使用すると、観賞物の領域の一部が遮蔽されるが、上述したように、「遮蔽」は人間の立体知覚の一要素であり、奥行き感を生じさせるものである。また、観賞演出材による「遮蔽」は、観賞物１０１がプリントである場合に、プリント物のつなぎ目や端といった「臨場感」を低下させる要素を覆い隠すという役割も担っている。
【００３２】
図７（ａ）に示す距離設定に対し、仮に、図７（ｂ）に示すように、距離Ｓ６を観賞演出材１０２ａの観賞者３０１に近い側の面７０３に設定すると、図７（ａ）と同じ幅ｓｄ１の視野中に占める観賞演出材１０２ａにより「遮蔽」された領域は７１３（図７（ｄ））となり、領域７１２と比較して視野角における面積が小さくなり「遮蔽」の効果が少なくなる。
【００３３】
なお、上例では、説明を簡略化するために、観賞物１０１に近い側の面７０２を基準としたが、図７（ａ）に示すように、観賞物１０１に近い側の面７０２から、観賞演出材１０２ａの重心Ｗまでの領域Ｐ１内の位置を基準に設定してもよい。重心Ｗの決め方は、例えば、観賞演出材が図２に示す部材２０１のようにｘ−ｚ平面の断面形状がｙに応じて変化しない場合には、観賞演出材の質量中心としてもよく、また、観賞演出材が図２に示す部材２０２、２０３のように、ｘ−ｚ平面での断面形状が変化する場合には、観賞者が観賞物に正対したとき、つまり観賞演出材に高さｙ’＝（観賞者の視線の高さ）である時のｘ−ｚ平面の断面の重心としてもよい。
【００３４】
以上のように、観賞演出材１０２ａと観賞者３０１との距離が、観賞演出材１０２ａと観賞物１０１との距離より短い場合は、式（２）によって距離Ｓ６を定めるとともに、その距離Ｓ６の基準を、観賞演出材１０２ａの観賞物１０１に近い側の面７０２と重心Ｗまでの領域内の位置とする。これにより、観賞演出材１０２ａによる「遮蔽」の効果をより多くすることができる。その結果、人間が奥行きや立体を知覚するため経験的手がかりを補完し、観賞物に立体感や没入感といった「臨場感」を高めることができる。
【００３５】
また、本実施形態における展示セットは、観賞者と観賞物の距離を十分にとることで、人間の立体知覚の一要素である両眼立体視の奥行き感への影響を低下させることができるが、観賞者と観賞物の距離を十分にとることができない場合においても、図７（ａ）に示すように、観賞演出材の位置を設定することで、両眼視の影響を低減することが可能となる。その結果、単眼視でも奥行き感を与えることができる。
【００３６】
一方、図７（ｅ）に示すように、観賞演出材１０２ａと観賞物１０１との距離が、観賞演出材１０２ａと観賞者３０１との距離より短い場合は、距離Ｓ６を式（３）に従って求めるとともに、観賞演出材１０２ａの観賞者３０１に近い側の面７０３と重心Ｗまでの領域Ｐ２内の位置を距離Ｓ６の基準とする。観賞演出材１０２ａが観賞物１０１の方に近い場合は、図７（ａ）に示す状態と比べて、視野内での観賞物１０１の観賞対象画像１０１ａのサイズを相対的に大きく知覚する。この場合、「遮蔽」の効果をより得るには、観賞演出材１０２ａを観賞物１０１の方により近づけて、観賞演出材によって観賞物を被覆することが望ましい。従って、観賞演出材１０２ａが観賞物１０１の方に近い場合には、観賞演出材の１０２ａの観賞者３０１に近い側の面７０３を基準に、観賞演出材１０２ａの観賞物１０１からの距離Ｓ６を設定する。これにより、観賞演出材１０２ａによる「遮蔽」の効果によって、人間が奥行きや立体を知覚するため経験的手がかりを補完し、観賞物に立体感や没入感といった「臨場感」を高めることができる。
【００３７】
なお、図６に示す例において、観賞者は観賞時に、観賞物１０１の観賞対象画像１０１ａの実物相当の大きさＹ２を経験的に推定しており、観賞物での観賞対象画像１０１ａがＹ１であれば、どれくらいの距離から被写体４０２を見ているかを推測する。知覚的な大きさを推定する際に知覚的な距離が影響を与えているという観点から、観賞距離Ｚ１がその推定した距離に当てはまらない場合は観賞物に対する違和感から臨場感が低下する。撮影時の被写体４０２の大きさと撮影者との距離の関係が、観賞時の観賞物内の観賞対象画像１０１ａの大きさと観賞者との距離の関係を式（１）により適切に設定することで観賞者に効果的な臨場感を提供できる。
【００３８】
（第２実施形態）
図８（ａ）〜（ｄ）は、本発明の第２実施形態に係る展示セットを説明する図である。図８（ａ）は、展示セットをｙ軸方向から見た断面図、図８（ｂ）は、展示セットを斜め上から俯瞰した斜視図、図８（ｃ）は、観賞物を正面から見た図である。
【００３９】
本実施形態の展示セットは、観賞者８０１が、観賞演出材８０４〜８０７の一部の観賞演出材８０５の上に立って、観賞物８０２を上から見て高さ、つまりＺ方向の奥行きを感じることで臨場感を得る展示物である。観賞者８０１が、観賞推奨範囲８１０内の位置で観賞物８０２を見たとき、観賞物８０２を設置した床面８０３から観賞者８０１の目までの高さ（図８（ａ）に示す例ではＳ７）を観賞推奨距離Ｚ１とする。
【００４０】
観賞物の内容は、図２に示した観賞物でもよい。図８に示す展示セットにおいても、観賞者と観賞物の間に観賞演出材を配置することによって、第１実施形態で説明した理由により奥行き感を得ることが可能だからである。しかしながら、観賞者８０１は、図８（ａ）おおび（ｂ）に示すように、観賞物を上から観賞する状態であるため、より臨場感を高めるためには、図８（ｃ）に示すような、例えば、ビルの屋上から地上を撮影した写真や、地上から谷底などを撮影した写真や絵のようなｚ軸方向に奥行きがあるものを用いると好ましい。さらに、観賞物８０２を設置する際、図８（ｃ）に示すように、観賞者の足元に「線遠近」要素８１８が来るように設置してもよく、また、図８（ｄ）に示すように、９０度回転させて配置してもよい。図８（ｄ）に示すように、観賞者の足元にある遠近要素８１８が足元ではない箇所に配置されることで、観賞者は「高さ」を感じることにより「臨場感」が高まる。なお、図８において観賞演出材の一部８０６はアクリル板やガラスなどの透明の素材を用いることで観賞物８０２が透けて見えると共に、観賞演出材による運動視差効果が得られより臨場感を高める演出とすることも可能である。また、図８では観賞演出材の一部８０７は観賞物８０２を囲む壁の構造としたが、観賞演出材の一部８０７はこれまでに説明した奥行きに対する効果を生まないため、本実施形態の展示セットに必ずしも必要な構成ではない。
【００４１】
次に、本実施形態の展示セットにおいて、観賞演出材８０４を観賞者８０１や観賞物８０２との距離に対してどのように配置するかを、図９を用いて詳細を説明する。図９（ａ）〜（ｄ）は、本実施形態に係る、観賞演出材の配置の仕方を説明する図である。
【００４２】
本実施形態では、図９（ａ）に示すように、観賞演出材８０６と観賞物８０２との距離より観賞演出材８０６と観賞者８０１との距離の方が小さい場合、観賞者８０１が接していない観賞演出材の一部８０４、８０６の観賞物８０２に近い側の面９０２から重心Ｗまでの領域Ｐ３内の位置を基準に、観賞演出材８０４と観賞物８０２の距離Ｓ１０を設定する。図９（ｂ）に示すように、観賞者に近い側の面９０１を基準に距離Ｓ１０を設定した場合に比べて、第１実施形態でも説明したように、観賞者８０１が観賞物８０２を注目した時の視野９０５の中含まれる観賞演出材８０６の領域が広くなり、「遮蔽」の効果が得られやすくなる。
【００４３】
一方、図９（ｃ）に示すように、観賞演出材８０４、８０６が観賞者８０１より観賞物８０２に近い場合には、観賞演出材８０４、８０６の観賞者８０１に近い側の面９０１から重心Ｗまでの領域Ｐ４内の位置を基準に、観賞物８０２からの距離Ｓ１０を設定する。この場合も、第１実施形態で説明したように、観賞物を覆い隠す割合が、図９（ｄ）に示す、観賞演出材８０４、８０６を観賞物８０３に近い側の面９０２を基準に設定した場合と比べ大きくなり、より「遮蔽」の効果を得やすくなる。
【００４４】
なお、上述した第２実施形態から明らかなように、本発明の適用は、第１実施形態のように展示環境の制約によって理想的な観賞対象物のサイズＹ１を実現できず、それを式（２）、（３）によって求める距離Ｓ６によって補う形態に限られない。上記制約を受けない展示セットにおける、観賞物と観賞演出材との距離の設定にも適用できることはもちろんである。
【００４５】
以上のとおり、本実施形態の観賞演出材は、人間が奥行きや立体を知覚するため経験的手がかりを補完し、観賞物に立体感や没入感といった「臨場感」を高める効果がある。
【符号の説明】
【００４６】
１０１、８０２    観賞物
１０２、８０４、８０５    観賞演出材
【図１】
0006771869.tif 000004
【図２】
0006771869.tif 000005
【図３】
0006771869.tif 000006
【図４】
0006771869.tif 000007
【図５】
0006771869.tif 000008
【図６】
0006771869.tif 000009
【図７】
0006771869.tif 000010
【図８】
0006771869.tif 000011
【図９】
0006771869.tif 000012